(57)【要約】【課題】  筐体サイズの大型化を抑制しつつ、外部機器との間でケーブルを介してデジタルオーディオ信号の入出力を実現する。【解決手段】  外部機器１７がデジタルオーディオソースである場合に、外部機器１７からデジタルオーディオ信号が入力されるように、光入出力端子１５とＤＳＰ４とを接続する入出力切替部１４と、外部機器１７がデジタルオーディオソースでない場合、内蔵のＣＤドライブ２と光入出力端子１５とを接続するか否かの選択を許可するように制御するコントローラ１１とを備える構成とした。【選択図】      図１
2005192017.tif 000002
【特許請求の範囲】
【請求項１】
内蔵のデジタルオーディオソースと、当該デジタルオーディオソースからのデジタルオーディオ信号を再生する再生手段とを備えたオーディオ装置において、
外部機器がケーブルを介して接続されるコネクタと、
前記外部機器がデジタルオーディオ信号を出力する装置である場合に、前記外部機器からデジタルオーディオ信号が入力されるように、前記コネクタと前記再生手段とを接続するように切替制御される切替手段と、
前記外部機器がデジタルオーディオ信号を出力する装置でない場合、前記内蔵のデジタルオーディオソースと前記コネクタとを接続するか否かの選択を許可するように制御する制御手段と
を具備することを特徴とするオーディオ装置。
【請求項２】
表示手段を更に備え、
前記制御手段は、前記表示手段に、前記内蔵のデジタルオーディオソースと前記コネクタとを接続するか否かの設定をするための設定項目を表示させる
ことを特徴とする請求項１に記載のオーディオ装置。
【発明の詳細な説明】
【技術分野】
【０００１】
本発明は、オーディオ装置に関する。
【背景技術】
【０００２】
例えば、自動車等の車両に搭載される車載装置として、車載オーディオ装置（いわゆる、カーオディオ）が知られている。車載オーディオ装置は、ラジオ放送などを受信するアナログオーディオソースとしてのチューナや、デジタルオーディオソースとしてのＣＤプレーヤなどから出力される音を、アンプや車載スピーカなどを使って車内に流すものである（例えば特許文献１参照）。
【０００３】
また近年では、車載オーディオ装置に、デジタルオーディオソースたる外部機器から光ケーブルを介してデジタルオーディオ信号が入力される光入力端子や、外部アンプ装置等の外部機器に光ケーブルを介してデジタルオーディオ信号を出力するための光出力端子等を設けるといったことが行われている。
【特許文献１】特開平１１−２５１９３９号公報
【発明の開示】
【発明が解決しようとする課題】
【０００４】
しかしながら、上記光入力端子と光出力端子とを独立して設けた場合、筐体サイズが大きくならざるを得ないといった問題がある。特に、車載装置のような小型化が求められるものに、筐体サイズを変えずに、それらの端子を設けることは困難である。
【０００５】
本発明は、上述した事情に鑑みてなされたものであり、筐体サイズの大型化を抑制しつつ、外部機器との間でケーブルを介してデジタルオーディオ信号の入出力を実現することのできるオーディオ装置を提供することを目的とする。
【課題を解決するための手段】
【０００６】
上記目的を達成するために、本発明は、内蔵のデジタルオーディオソースと、当該デジタルオーディオソースからのデジタルオーディオ信号を再生する再生手段とを備えたオーディオ装置において、外部機器がケーブルを介して接続されるコネクタと、前記外部機器がデジタルオーディオ信号を出力する装置である場合に、前記外部機器からデジタルオーディオ信号が入力されるように、前記コネクタと前記再生手段とを接続するように切替制御される切替手段と、前記外部機器がデジタルオーディオ信号を出力する装置でない場合、前記内蔵のデジタルオーディオソースと前記コネクタとを接続するか否かの選択を許可するように制御する制御手段とを具備することを特徴とする。
【０００７】
また本発明は、上記発明において、表示手段を更に備え、前記制御手段は、前記表示手段に、前記内蔵のデジタルオーディオソースと前記コネクタとを接続するか否かの設定をするための設定項目を表示させることを特徴とする。
【発明の効果】
【０００８】
本発明によれば、筐体サイズの大型化を抑制しつつ、外部機器との間でケーブルを介してデジタルオーディオ信号の入出力が実現される。
【発明を実施するための最良の形態】
【０００９】
以下、図面を参照しつつ本発明の実施の形態について説明する。本実施の形態では、オーディ装置の一態様として、車両等に搭載される車載オーディオ装置について例示する。図１は、本実施の形態に係る車載オーディオ装置１の機能的構成を示すブロック図であり、図２は、その外観を示す正面図である。
【００１０】
先ず、図２に示すように、車載オーディオ装置１の正面には、フロントパネル１ａが装着されている。そのフロントパネル１ａの上方には、ＣＤ（Compact Disc）の挿入口２４が形成され、この挿入口からＣＤを挿入可能になされている。また、フロントパネル１ａの略中央には、液晶ディスプレイや有機ＥＬ（Electro Luminescence）ディスプレイ等の表示パネル１３ａが設けられ、この表示パネル１３ａに、当該車載オーディ装置１の動作状態や、再生中のＣＤトラック番号、再生楽曲名、ラジオ等の受信チャンネルといった各種情報が表示される。
【００１１】
上記表示パネル１３ａの左側には、ボリューム（音量）を調節するための回転操作子であるボリュームスイッチ２０が配設されている。このボリュームスイッチ２０には、押下式スイッチの機能が重畳されており、ボリュームスイッチ２０が押下された場合には、再生音のミュート（MUTE:消音）が行われるように構成されている。
【００１２】
また、上記ボリュームスイッチ２０の左下方には、押下式スイッチであるアジャストスイッチ２１が配設されると共に、ボリュームスイッチ２０の左上方には、同じく押下式スイッチである動作モードスイッチ２３が配設されている。アジャストスイッチ２１は、当該車載オーディオ装置１の各種調整を行うためのアジャスト画面を表示パネル１３ａに表示させる際に操作されるものであり、特に、本実施の形態では、再生音に関する各種の設定についても、このアジャストスイッチ２１を操作することにより行われる。
【００１３】
上記動作モードスイッチ２３は、当該車載オーディオ装置１の動作モードを切り替える際に操作されるものである。
【００１４】
上記表示パネル１３ａの右側には、第１〜第３操作キー２２ａ〜２２ｃの３つが併設された操作キー２２が配設されている。これら３つの第１〜第３操作キー２２ａ〜２２ｃは、縦長のキー形状を有するシーソー式のスイッチとなっており、本実施の形態では、第１〜第３操作キー２２ａ〜２２ｃの上部、或いは、下部を押圧することにより、それぞれのプリセット機能が実行されるように構成されている。
【００１５】
具体的には、第１操作キー２２ａの上部が押圧された場合、ＣＤ再生時あるいはＣＤオートチェンジャが外部機器として接続されているときには、スキャン（ＳＣＮ）キーとして機能し、アジャスト画面表示時には、カーソルを左方向（あるいは上位階層）に移動させるキーとして機能する。一方、第１操作キー２２ａの下部が押圧された場合、ＣＤオートチェンジャが外部機器として接続されているときには、複数のディスクを順方向に順次切り替えるキーとして機能し、アジャスト画面表示時には、カーソルを下方向（あるいは同一階層で次の項目）に移動させるキーとして機能する。
【００１６】
また、第２操作キー２２ｂの上部が押圧された場合、ＣＤ再生時あるいはＣＤオートチェンジャが外部機器として接続されているときは、リピート再生（ＲＰＴ）キーとして機能し、アジャスト画面表示時には、カーソルを右方向（あるいは下位階層）に移動させるキーとして機能する。一方、第２操作キー２２ｂの下部が押圧された場合、ＣＤオートチェンジャが外部機器として接続されている場合には、複数のディスクを逆方向に順次切り替えるキーとして機能し、アジャスト画面表示時には、カーソルを上方向（あるいは同一階層で前の項目）に移動させるキーとして機能する。
【００１７】
また、第３操作キー２２ｃの上部が押圧された場合、ＣＤ再生時あるいはＣＤオートチェンジャが外部機器として接続されているときは、ランダム再生（ＲＤＭ）キーとして機能する。一方、第３操作キー２２ｃの下部が押圧された場合、ユーザがあらかじめプリセットした機能（初期状態では、割り当て無し）が実行される。
【００１８】
また、表示パネル１３ａの左下方には、表示パネル１３ａの表示オン／表示オフをユーザが切り替えるためのディスプレイキー２５が配設されている。ここで、表示オフとは、単に表示パネル１３ａにおける表示を行わないばかりでなく、表示パネル１３ａを駆動するドライバ回路への電源供給が遮断される状態をいう。従って、例えばＣＤ再生中に表示オフとすることが可能となり、これにより、表示パネル１３ａを駆動するための電気信号がノイズとなって再生信号に混入するといったことが防止可能となる。
【００１９】
なお、当該車載オーディオ装置１のフロントパネル１ａには、上記構成要素の他にも、電源オン／オフ兼ファンクションキー、サーチアップキー、プレイ／ポーズ兼入力確定（ＥＮＴ）キー、サーチダウンキー、バンド切替（ラジオ受信時）／先頭曲移動（ＣＤ再生時）／先頭ディスク移動（ＣＤチェンジャ再生時）キーが配設されている。
【００２０】
本実施の形態の車載オーディオ装置１は、再生する音の周波数帯域をハイレンジ、ミドルレンジ、ロウレンジ及びサブウーファーの４つに分類し、さらに、夫々の周波数帯域の音をステレオ再生可能に構成され、図１に示すように、これらの周波数帯域の信号（再生アナログ信号）の各々を図示せぬスピーカに出力するためのアナログ端子出力部８を備えている。このアナログ端子出力部８は、ハイレンジＬチャンネルスピーカ用端子８−１ａと、ハイレンジＲチャンネルスピーカ用端子８−１ｂと、ミドルレンジＬチャンネルスピーカ用端子８−２ａと、ミドルレンジＲチャンネルスピーカ用端子８−２ｂと、ロウレンジＬチャンネルスピーカ用端子８−３ａと、ロウレンジＲチャンネルスピーカ用端子８−３ｂと、Ｌチャンネルサブウーファー用端子８−４ａと、Ｒチャンネルサブウーファー用端子８−４ｂとの合計８つの端子を備えている。
【００２１】
次いで、当該車載オーディオ装置１の電気的構成について詳述する。図１に示すように、車載オーディオ装置１は、装置の各部を制御するコントローラ１１を備えている。コントローラ１１は、制御実行手段としてのＣＰＵや記憶手段としてのＲＯＭやＲＡＭ等を備えたマイクロコンピュータ等として構成され、ＲＯＭに予め格納されている制御プログラムをＣＰＵが実行することで各種の制御を行う。また、このコントローラ１１には、上述した操作キー２２やボリュームスイッチ２０等の各種の操作キー及び操作スイッチを備える操作部１２が接続されており、ユーザの操作部１２に対する各種の操作は、コントローラ１１に入力され、この入力に応じてコントローラ１１が処理を実行する。さらにまた、コントローラ１１には、上記表示パネル１３ａや、この表示パネル１３ａを駆動するためのドライバ回路（不図示）等を備えた表示部１３が接続されており、この表示部１３は、コントローラ１１の制御の下、当該車載オーディオ装置１の動作状態や、再生楽曲、受信ラジオチャンネル等の各種情報を表示する。
【００２２】
また、車載オーディオ装置１は、ＣＤに記録されているデジタル信号（例えば楽曲信号等）を読み取り、デジタルインターフェース３を介してＤＳＰ（Digital signal Processor）４に出力する、デジタルオーディオソースとしてのＣＤドライブ２を内蔵している。デジタルインターフェース３は、ＣＤドライブ２とシリアル信号接続されると共にＤＳＰ４とパラレル信号接続され、ＣＤドライブ２からのデジタル信号を、ステレオ再生用のＬチャンネルとＲチャンネルからなる２チャンネルのパラレル信号に変換してＤＳＰ４に出力する。
【００２３】
ＤＳＰ４は、入力された２チャンネルのデジタル信号を再生する再生手段として機能し、入力されたデジタル信号から上記ハイレンジスピーカ用、ミドルレンジスピーカ用、ロウレンジスピーカ用及びサブウーファー用に、各々２チャンネル（Ｒチャンネル、Ｌチャンネル）の合計８つのデジタル信号を生成すると共に、これら８つのチャンネルの信号の各々に対して、コントローラ１１の制御の下、フィルタリング、ゲイン設定などのイコライジング処理、アライメント（ディレイ時間）等のサラウンド処理を施し、Ｄ／Ａコンバータ（ＤＡＣ）５に出力する。
【００２４】
ここで、本実施の形態のＤＳＰ４には、ピーキングイコライザ（Peaking Equalizer）を複数備えたパラメトリックイコライザ（Parametric Equalizer）と、ハイレンジ用、ミドルレンジ用、ロウレンジ用及びサブウーファー用の４つの周波数帯域ごとに、通過帯域の周波数（カットオフ周波数）や周波数帯域幅（クロスオーバー）、ゲインを調整するフィルタ回路とが設けられており、上記パラメトリックイコライザのパラメータや、各フィルタ回路のパラメータを、再生音の音場補正調整のためにユーザが調整可能に構成されている。
【００２５】
さて、上記Ｄ／Ａコンバータ５は、ＤＳＰ４から出力された８チャンネル分のデジタル信号の各々を、アナログ信号に変換して電子ボリューム６に出力するものである。電子ボリューム６は、入力された８つのアナログ信号のゲインを、コントローラ１１の制御の下、個別に調整し、ミュート回路７を介してアナログ出力端子部８に出力するものである。
【００２６】
一方、ミュート回路７は、コントローラ１１の制御の下、８つのアナログ信号の全てをミュート（消音）状態とし、或いは、そのままの状態で出力する。すなわち、全チャンネルの消音は、ミュート回路７により行われ、チャンネルごとの個別の音量調整は、電子ボリューム６により行われる。
【００２７】
また、この車載オーディオ装置１は、デジタルオーディオソースの他に、アナログオーディオソースたるチューナ９を備えている。チューナ９は、ラジオ放送等の放送電波を受信してアナログ信号を出力するものであり、このアナログ信号は、セレクタ１０を介してＤＳＰ４に入力される。ＤＳＰ４は、図示せぬＡ／Ｄ変換回路を内蔵し、アナログ信号が入力された場合には、これをデジタル信号に変換し、上記のように各種の音場効果を付与した後にＤ／Ａコンバータ５に出力する。上記セレクタ１０は、コントローラ１１の指示の下、ＤＳＰ４に入力すべきアナログオーディオソースの信号を選択するものである。
【００２８】
また、車載オーディオ装置１は、外部機器１７との間でデータを送受するための端子として、外部機器接続端子１６と光入出力端子１５とを備えている。外部機器接続端子１６は、外部機器１７の接続端子であり、バス線（通信ライン）及びアナログオーディオ信号線（Ｌ、Ｒ）を有する信号ケーブルが接続される。すなわち、車載オーディオ装置１と外部機器１７とは、この外部機器接続端子１６を介して互いに通信すると共に、外部機器１７がアナログオーディオソースである場合には、この外部機器接続端子１６からアナログオーディオ信号が車載オーディオ装置１に入力され、上記セレクタ１０に出力される。そしてセレクタ１０がコントローラ１１の指示の下、外部機器１７からのアナログオーディオ信号を選択しＤＳＰ４に出力することで、外部機器１７からのアナログオーディオ信号が再生されることになる。
【００２９】
一方、光入出力端子（光コネクタ）１５は、外部機器１７との間でデジタルオーディオ信号を転送するために用いられるものであり、この光入出力端子１５には、光ケーブル１８が接続される。図３に示すように、外部機器１７が、例えばＣＤオートチェンジャー等のデジタルオーディオソース（以下、単に「デジタルソース」という）である場合に、この外部機器１７から車載オーディオ装置１に再生信号たるデジタルオーディオ信号が入力される。これとは逆に、図４に示すように、外部機器１７が外部アンプ装置である場合には、車載オーディオ装置１から外部機器１７に再生信号たるデジタルオーディオ信号が出力される。外部機器１７との間でのデジタル信号の入力及び出力の切り替えは、コントローラ１１の指示に従って入出力切替部（切替手段）１４により行われる。これにより、１つの光入出力端子１５により、デジタル信号の入力及び出力を実施することが可能としている。
【００３０】
詳述すると、コントローラ１１は、外部機器１７が外部機器接続端子１６に接続された場合、この外部機器１７が光入出力端子１５を使用して車載オーディオ装置１にデジタルオーディオ信号を入力するデジタルソースであるか、或いは、光入出力端子１５を使用しないアナログソース又は光入出力端子１５を使用して車載オーディオ装置１からデジタル信号を受け取る外部アンプ装置であるかを判断する。そして、コントローラ１１は、外部機器１７がデジタルソースであると判断した場合には入出力切替部１４を入力側に切り替え、また、外部機器１７がデジタルソースでないと判断した場合には、ユーザの指示に応じて入出力切替部１４を切り替える。
【００３１】
以下、このコントローラ１１の動作について詳述する。
【００３２】
図５は、外部機器接続端子１６に接続された外部機器１７がデジタルソースであるか否かを判断するためのシステムチェック処理を示すフローチャートである。この図に示すように、コントローラ１１は、上記外部機器接続端子１６に接続された外部機器１７から接続要求を受けると（ステップＳ１：ＹＥＳ）、入出力切替部１４に対して「DIGITAL OUT」を「OFF（入出力切替部１４をIN側に切替え）」に設定するように指示する（ステップＳ２）。入出力切替部１４は、「DIGITAL OUT」が「OFF」に設定された場合には、光入出力端子１５とＤＳＰ４とをデジタルインターフェース３を介して電気的に接続し、光入出力端子１５からデジタル（オーディオ）信号を入力可能状態とする。なお、入出力切替部１４は、「DIGITAL OUT」が「ON（入出力切替部１４をOUT側に切替え）」に設定された場合には、光入出力端子１５と、車載オーディオ装置１に内蔵のデジタルソースであるＣＤドライブ２の出力側とを電気的に接続して、光入出力端子１５からデジタル信号を出力可能状態とする。
【００３３】
上記のように、「DIGITAL OUT」を「OFF」に設定した後、コントローラ１１は、外部機器１７に対して、デジタル結線確認コマンドを、外部機器接続端子１６を介して送信する（ステップＳ３）。デジタル結線確認コマンドは、光入出力端子１５を介しての外部機器１７とのデジタル結線状態を確認するためのコマンドであり、外部機器１７に対して、光入出力端子１５を介してデジタル信号を応答として入力する旨を指示するものである。
【００３４】
そこで、コントローラ１１は、所定時間内（例えば４００ｍｓ）に外部機器１７からデジタル結線確認コマンドに対する応答を受信できたかを確認すべく、デジタル信号確認用タイマーのタイマーカウント値Ｔをセットし（ステップＳ４）、デジタル信号確認タイマーがタイムアップする前に（ステップＳ５：Ｔ≠０）、外部機器１７からデジタル信号が入力されているかを判別する（ステップＳ６）。
【００３５】
この判別の結果、外部機器１７からデジタル信号が入力されていない場合には、タイマーカウント値Ｔを「１」だけデクリメントし（ステップＳ７）、外部機器１７からの応答を待ち受けるべく、ステップＳ５に処理手順を戻す。そして、外部機器１７からの応答が無いまま上記デジタル信号確認用タイマーがカウントアップした場合には（ステップＳ５：Ｔ＝０）、コントローラ１１は、外部機器１７が光入出力端子１５を使用することのないアナログソース、又は、オーディ装置１から出力されるデジタル信号を光入出力端子１５を介して受け取る外部アンプ装置であると判断する（ステップＳ８）。
【００３６】
一方、上記デジタル信号確認用タイマーがカウントアップする前に、外部機器１７からの応答としてデジタル信号入力があった場合には、コントローラ１１は、外部機器１７がデジタル信号入力のために光入出力端子１５を使用するデジタルソースであると判断する（ステップＳ９）。
【００３７】
以上のようにして、外部機器１７がデジタルソースであるか否かを判別した後、コントローラ１１は、外部機器１７がデジタルソースでない場合には、入出力切替部１４の上記「DIGITAL OUT」のオン／オフ、つまり、光入出力端子１５の入出力の切替をユーザの指示に従って行う。
【００３８】
具体的には、本実施の形態では、上記アジャストスイッチ２１が操作された際に表示パネル１３ａに表示される調整項目（ＡＤＪ項目）３０の１つに、図６に示すように、「DIGITAL OUT」のオン／オフを設定するためのＤ−ＯＵＴ項目３０ａが設けられている。この調整項目３０の各項目は、操作キー２２が操作されるごとに、１つずつサイクリックに表示されるものであるものの、外部機器１７がデジタルソースである場合には、「DIGITAL OUT」をオンに設定する必要がないため、このＤ−ＯＵＴ項目３０ａの表示が禁止され、外部機器１７がデジタルソース以外のときにだけＤ−ＯＵＴ項目３０ａが表示される。そして、コントローラ１１は、Ｄ−ＯＵＴ項目３０ａに対するユーザの設定に基づいて入出力切替部１４の切り替えを行う。
【００３９】
図７は、「DIGITAL OUT」のオン／オフを切り替えるためのデジタルアウトオン／オフ（DIGITAL OUT ON/OFF）切替処理を示すフローチャートである。
【００４０】
この図に示すように、コントローラ１１は、外部機器１７がデジタルソースであると判断している場合に（ステップＳ１０：ＹＥＳ）、上記調整項目にＤ−ＯＵＴ項目３０ａを表示し（ステップＳ１１）、そして、この設定項目に対する入力を待ち受ける（ステップＳ１２）。次いで、コントローラ１１は、ユーザによりＤ−ＯＵＴ項目３０ａに対して「ＯＮ」が設定された場合には、入出力切替部１４に対して「DIGITAL OUT」を「ＯＮ」に設定し（ステップＳ１４）、光入出力端子１５からデジタル信号を出力可能とする。一方、ユーザによりＤ−ＯＵＴ項目３０ａに対して「ＯＦＦ」が設定された場合には、入出力切替部１４に対して「DIGITAL OUT」を「ＯＦＦ」に設定し（ステップＳ１５）、光入出力端子１５からのデジタル信号の入力を可能とする。
【００４１】
以上説明したように、本実施の形態によれば、外部機器１７がデジタルオーディオソースである場合に、外部機器１７からデジタルオーディオ信号が入力されるように、光入出力端子１５とＤＳＰ４とを接続する入出力切替部１４を備えると共に、外部機器１７が外部アンプ装置等のデジタルソースでない装置である場合には、内蔵のＣＤドライブ２と光入出力端子１５とをユーザの指示に従って接続するように構成したため、１つの光入出力端子にて、外部機器１７との間で、デジタル信号の入力と出力とを行うことが可能となる。この結果、従来のように、光入力端子と光出力端子とを個別に備える必要がなく、筐体サイズの大型化が抑制されることとなる。
【００４２】
なお、上述した実施の形態は、あくまでも本発明の一態様を示すものであり、本発明の範囲内で任意に変形可能である。例えば、上述した実施の形態では、オーディオ装置の一態様として車両等に搭載される車載オーディオ装置を例示したが、これに限らず、据え置き型のオーディオ装置や、可搬型の（ポータブルな）オーディオ装置としても良い。
【図面の簡単な説明】
【００４３】
【図１】本実施の形態に係る車載オーディオ装置の機能的構成を示すブロック図である。
【図２】車載オーディオ装置の正面図である。
【図３】車載オーディオ装置と、デジタルオーディオソースとしての外部機器との接続を説明するための図である。
【図４】車載オーディオ装置と、外部アンプ装置としての外部機器との接続を説明するための図である。
【図５】外部機器がデジタルオーディオソースであるか否かを判別するためのシステムチェック処理のフローチャートである。
【図６】調整項目を説明するための示す図である。
【図７】デジタルアウトのオン／オフを切替えるための処理を示すフローチャートである。
【符号の説明】
【００４４】
１  車載オーディオ装置
２  ＣＤドライブ（内蔵のデジタルオーディオソース）
４  ＤＳＰ（再生手段）
１１  コントローラ（制御手段）
１３  表示部（表示手段）
１４  入出力切替部（切替手段）
１５  光入出力端子（コネクタ）
１６  外部機器接続端子
１７  外部機器
１８  光ケーブル
【図１】
2005192017.tif 000003
【図２】
2005192017.tif 000004
【図３】
2005192017.tif 000005
【図４】
2005192017.tif 000006
【図５】
2005192017.tif 000007
【図６】
2005192017.tif 000008
【図７】
2005192017.tif 000009